(57)【要約】【課題】同行者の端末の位置を示す情報を送信せずに同乗者に関する情報を特定するための技術の提供。【解決手段】移動履歴を取得する移動履歴取得部と、近距離通信による通信の制御を行う通信制御部と、前記近距離通信によって接続された端末の識別情報を取得する識別情報取得部と、移動中に接続されていた前記端末の前記識別情報の組み合わせと、前記移動履歴とを対応づけて外部の移動履歴管理システムに送信する移動履歴送信部と、を備える移動履歴送信システムが構成される。【選択図】図１
2018132321.tif 000002
【特許請求の範囲】
【請求項１】
移動履歴を取得する移動履歴取得部と、
近距離通信による通信の制御を行う通信制御部と、
前記近距離通信によって接続された端末の識別情報を取得する識別情報取得部と、
移動中に接続されていた前記端末の前記識別情報の組み合わせと、前記移動履歴とを対応づけて外部の移動履歴管理システムに送信する移動履歴送信部と、
を備える移動履歴送信システム。
【請求項２】
前記近距離通信によって接続された前記端末は、
前記通信制御部を備える第１端末と、前記通信制御部によって接続が確立された１個以上の第２端末と、を含む、
請求項１に記載の移動履歴送信システム。
【請求項３】
前記移動履歴は、位置の履歴と、訪問された施設の履歴との少なくとも一方を含む、
請求項１または請求項２のいずれかに記載の移動履歴送信システム。
【請求項４】
前記移動履歴管理システムは、複数の利用者の前記移動履歴を、前記識別情報の組み合わせ毎に集計し、当該組み合わせに推奨される推奨情報を生成し、
現在接続されている前記端末の前記識別情報の組み合わせと、前記推奨情報の送信要求とを前記移動履歴管理システムに対して送信し、当該組み合わせに対応する前記推奨情報を受信する推奨情報取得部を備える、
請求項１〜請求項３のいずれかに記載の移動履歴送信システム。
【請求項５】
前記識別情報の組み合わせに推奨される前記推奨情報は、
当該組み合わせについて集計された前記移動履歴に類似する前記移動履歴に含まれる目的地である、
請求項４に記載の移動履歴送信システム。
【請求項６】
移動中に移動履歴送信システムに接続されていた端末の識別情報の組み合わせと、前記移動履歴送信システムの移動履歴とが対応づけられた情報を取得する履歴情報取得部と、
前記識別情報の組み合わせ毎に前記移動履歴を集計する移動履歴集計部と、
前記端末の前記識別情報の組み合わせと、当該組み合わせに推奨される推奨情報の送信要求とを取得し、当該組み合わせについて集計された前記移動履歴と類似する前記移動履歴に基づいて前記推奨情報を取得し、送信要求元に送信する推奨情報送信部と、
を備える移動履歴管理システム。
【請求項７】
移動履歴を取得する移動履歴取得部と、
近距離通信による通信の制御を行う通信制御部と、
前記近距離通信によって接続された端末の識別情報を取得する識別情報取得部と、
移動中に接続されていた前記端末の前記識別情報の組み合わせ毎に前記移動履歴を集計する移動履歴集計部と、
現在接続されている前記端末の前記識別情報の組み合わせについて集計された前記移動履歴と類似する前記移動履歴に基づいて当該組み合わせに推奨される推奨情報を取得し、案内する推奨情報案内部と、
を備える移動履歴案内システム。
【請求項８】
移動履歴を取得する移動履歴取得部と、
近距離通信による通信の制御を行う通信制御部と、
前記近距離通信によって接続された端末の台数を取得する台数取得部と、
移動中に接続されていた前記端末の台数と、前記移動履歴とを対応づけて外部の移動履歴管理システムに送信する移動履歴送信部と、
を備える移動履歴送信システム。
【請求項９】
コンピュータを、
移動履歴を取得する移動履歴取得部、
近距離通信による通信の制御を行う通信制御部、
前記近距離通信によって接続された端末の識別情報を取得する識別情報取得部、
移動中に接続されていた前記端末の前記識別情報の組み合わせと、前記移動履歴とを対応づけて外部の移動履歴管理システムに送信する移動履歴送信部、
として機能させる移動履歴送信プログラム。
【発明の詳細な説明】
【技術分野】
【０００１】
本発明は、移動履歴の解析に関する。
【背景技術】
【０００２】
従来、車両の同乗者を特定するためのシステムが知られている。例えば、特許文献１においては、運転者端末から送信される運転者のプローブ情報と、運転者以外の端末から送信される運転者以外のプローブ情報とを取得し、運転者の位置から所定の距離範囲内に運転者以外の端末が存在する場合に、当該端末のユーザを同乗者の候補とする。そして、同乗者の候補が利用する端末において同乗者であるか否かを入力するための表示を行い、同乗者であることが確認された場合に同乗者であると特定する技術が開示されている。
【先行技術文献】
【特許文献】
【０００３】
【特許文献１】特開２０１５−１８４９６９号公報
【発明の概要】
【発明が解決しようとする課題】
【０００４】
従来の技術においては、運転者端末と運転者以外の端末との全てにおいてプローブ情報をサーバに対して送信する必要がある。
本発明は、上記課題にかんがみてなされたもので、同行者の端末の位置を示す情報を送信せずに同乗者に関する情報を特定するための技術を提供することを目的とする。
【課題を解決するための手段】
【０００５】
上記の目的を達成するため、移動履歴送信システムは、移動履歴を取得する移動履歴取得部と、近距離通信による通信の制御を行う通信制御部と、近距離通信によって接続された端末の識別情報を取得する識別情報取得部と、移動中に接続されていた端末の識別情報の組み合わせと、移動履歴とを対応づけて外部の移動履歴管理システムに送信する移動履歴送信部と、を備える。
【０００６】
また、移動履歴送信プログラムは、コンピュータを、移動履歴を取得する移動履歴取得部、近距離通信による通信の制御を行う通信制御部、近距離通信によって接続された端末の識別情報を取得する識別情報取得部、移動中に接続されていた端末の識別情報の組み合わせと、移動履歴とを対応づけて外部の移動履歴管理システムに送信する移動履歴送信部、として機能させる。
【０００７】
すなわち、移動履歴送信システムおよび移動履歴送信プログラムは、近距離通信によって接続された端末の識別情報を取得し、端末の識別情報の組み合わせと移動履歴とを対応づけて外部の移動履歴管理システムに送信する。端末の識別情報の組み合わせは、近距離通信が可能であった端末の組み合わせであり、ともに行動している同行者に対応していると推定される。従って、端末の識別情報の組み合わせを集約して移動履歴管理システムに送信すれば、移動履歴管理システムにおいて同行者の組み合わせに関する情報を特定することができる。
【０００８】
さらに、上記の目的を達成するため、移動履歴管理システムは、移動中に移動履歴送信システムに接続されていた端末の識別情報の組み合わせと、移動履歴送信システムの移動履歴とが対応づけられた情報を取得する履歴情報取得部と、識別情報の組み合わせ毎に移動履歴を集計する移動履歴集計部と、端末の識別情報の組み合わせと、当該組み合わせに推奨される推奨情報の送信要求とを取得し、当該組み合わせについて集計された移動履歴と類似する移動履歴に基づいて推奨情報を取得し、送信要求元に送信する推奨情報送信部と、を備える。
【０００９】
すなわち、移動履歴管理システムは、移動中に移動履歴送信システムに接続されていた端末の識別情報の組み合わせに対応づけられた移動履歴を取得するため、当該組み合わせに基づいて、移動履歴が示す移動の際の同行者の組み合わせに関する情報を特定することができる。さらに、移動履歴管理システムは、端末の識別情報の組み合わせ毎に、当該組み合わせに対応づけられた移動履歴を集計する。当該集計結果は、同行者の組み合わせ毎に移動履歴の傾向等に対応した情報になるため、各組み合わせについて集計された移動履歴と類似する移動履歴を参照すれば、同行者が当該組み合わせである場合に推奨される推奨情報を生成することができる。そして、推奨情報の送信要求とともに端末の識別情報の組み合わせが受け付けられた場合に、当該組み合わせに対応する推奨情報を送信要求元に送信すれば、同行者の組み合わせに適した推奨情報を送信することができる。
【００１０】
さらに、移動履歴案内システムは、移動履歴を取得する移動履歴取得部と、近距離通信による通信の制御を行う通信制御部と、近距離通信によって接続された端末の識別情報を取得する識別情報取得部と、移動中に接続されていた端末の識別情報の組み合わせ毎に移動履歴を集計する移動履歴集計部と、現在接続されている端末の識別情報の組み合わせについて集計された移動履歴と類似する移動履歴に基づいて当該組み合わせに推奨される推奨情報を取得し、案内する推奨情報案内部と、を備える。
【００１１】
すなわち、移動履歴案内システムにおいて、端末の識別情報の組み合わせを取得すれば、同行者の端末から当該端末の位置を示す情報を送信しなくても同乗者に関する情報を特定することができる。そして、端末の識別情報の組み合わせ毎に移動履歴を集計すれば、移動履歴案内システムが集計した移動履歴に基づいて、推奨情報を取得し、案内することが可能になる。
【００１２】
さらに、上記の目的を達成するため、移動履歴送信システムは、移動履歴を取得する移動履歴取得部と、近距離通信による通信の制御を行う通信制御部と、近距離通信によって接続された端末の台数を取得する台数取得部と、移動中に接続されていた端末の台数と、移動履歴とを対応づけて外部の移動履歴管理システムに送信する移動履歴送信部と、を備える。
【００１３】
すなわち、移動中に近距離無線によって接続されていた端末の台数は、移動中に継続して同行していた同行者の人数に対応していると推定される。そして、移動者の行動傾向は、１人の場合と複数人の場合とで異なるなど、同行者の人数に応じて変化し得る。そこで、移動中に近距離無線によって接続されていた端末の台数を取得して外部の移動履歴管理システムに送信すれば、同行者の端末の位置を示す情報を送信せずに、移動履歴管理システムにおいて同乗者に関する情報を特定することが可能になる。
【図面の簡単な説明】
【００１４】
【図１】移動履歴送信システムおよび移動履歴管理システムを示すブロック図である。
【図２】図２Ａは携帯端末側通信処理のフローチャート、図２Ｂは移動履歴送信処理のフローチャートである。
【図３】図３Ａは移動履歴管理処理のフローチャート、図３Ｂは推奨情報取得処理のフローチャート、図３Ｃは推奨情報送信処理のフローチャートである。
【図４】識別情報の集計を示す図である。
【発明を実施するための形態】
【００１５】
ここでは、下記の順序に従って本発明の実施の形態について説明する。
（１）移動履歴送信システムの構成：
（２）移動履歴管理システムの構成：
（３）携帯端末側通信処理：
（４）移動履歴送信処理：
（５）移動履歴管理処理：
（６）推奨情報取得処理：
（７）推奨情報送信処理：
（８）他の実施形態：
【００１６】
（１）移動履歴送信システムの構成：
図１は、本発明の一実施形態であるシステムを構成する移動履歴送信システムおよび移動履歴管理システムの構成例を示すブロック図である。本実施形態にかかる移動履歴送信システム１０は、車両内で使用されるナビゲーションシステムによって実現される。本実施形態において、移動履歴送信システム１０は、携帯端末５０ａ，５０ｂおよび移動履歴管理システム１００と通信することができる。携帯端末５０ａ，５０ｂは、車両の同乗者が携帯している携帯端末であり、個数は任意である。移動履歴管理システム１００は、車両の外部に存在するサーバによって実現される。
【００１７】
移動履歴送信システム１０は、ＣＰＵ、ＲＡＭ、ＲＯＭ等を備える制御部２０と、記録媒体３０と、ＧＰＳ信号取得部４１と車速センサ４２とジャイロセンサ４３と近距離通信部４４と通信部４５とユーザＩ／Ｆ部４６とを備えており、制御部２０は、当該ＲＯＭや図示しない記録媒体に記録された種々のプログラムを実行することができる。ＧＰＳ信号取得部４１は、ＧＰＳ衛星からの電波を受信し、図示しないインタフェースを介して車両の現在位置を算出するための信号を出力する。車速センサ４２は、車両が備える車輪の回転速度に対応した信号を出力する。制御部２０は、図示しないインタフェースを介してこの信号を取得し、車速を取得する。ジャイロセンサ４３は、車両の水平面内の旋回についての角加速度を検出し、車両の向きに対応した信号を出力する。制御部２０は、この信号を取得して車両の進行方向を取得する。制御部２０は、車速センサ４２およびジャイロセンサ４３等の出力信号に基づいて車両の走行軌跡を特定することで車両の現在位置を取得する。ＧＰＳ信号取得部４１の出力信号は、車速センサ４２およびジャイロセンサ４３等から特定される車両の現在位置を補正するなどのために利用される。
【００１８】
近距離通信部４４は、予め決められた周波数帯域の搬送波を利用して他の装置と通信を行うための回路を備えている。本実施形態において、制御部２０は、近距離通信部４４を介し、既定の規格（複数の規格であってもよい）によって携帯端末５０ａ，５０ｂと通信を行うことが可能である。なお、本実施形態は、既定の規格の一つがＷｉ-Ｆｉ（登録商標）規格である例である。また、近距離通信部４４は有線通信（例えばＵＳＢ規格による通信）等によって移動履歴管理システム１００と通信可能であっても良い。
【００１９】
通信部４５は、予め決められた周波数帯域の搬送波を利用して他の装置と通信を行うための回路を備えている。本実施形態において、制御部２０は、通信部４５を介して車両の外部に存在する移動履歴管理システム１００と通信を行うことが可能である。なお、本実施形態において、近距離通信部４４は、車室内の同乗者が携帯し得る携帯端末５０ａ，５０ｂと通信可能な規格であり、車両と同乗者との距離よりも遠くに存在する端末との通信が確保される必要はない。一方、通信部４５は、車両の遠方に存在し得る移動履歴管理システム１００との通信が確保される必要があり、少なくとも、車両の周囲に存在し得る中継器と通信を行うことが可能な規格である。
【００２０】
ユーザＩ／Ｆ部４６は、利用者の指示を入力し、また利用者に各種の情報を提供するためのインタフェース部である。本実施形態においてユーザＩ／Ｆ部４６は、図示しないタッチパネル方式のディスプレイからなる入力部を兼ねた表示部やマイク等の音の入力部、スピーカー等の出力音の出力部を備えている。制御部２０は、ユーザＩ／Ｆ部４６を制御して、任意の画像をディスプレイに出力させ、任意の音をスピーカーに出力させることができる。
【００２１】
制御部２０は、図示しないナビゲーションプログラムにより、図示しない地図情報に基づいて車両を現在地から目的地まで誘導する経路案内を実行することができる。本実施形態において移動履歴送信システム１０の利用者は、移動履歴送信システム１０により、経路の目的地として推奨される地点を推奨情報として取得し、案内させることができる。このために、移動履歴送信プログラム２１は、移動履歴取得部２１ａと通信制御部２１ｂと識別情報取得部２１ｃと移動履歴送信部２１ｄと推奨情報取得部２１ｅとを備えている。
【００２２】
移動履歴取得部２１ａは、移動履歴送信システム１０の移動履歴を取得する機能を制御部２０に実現させるプログラムモジュールである。すなわち、制御部２０は、ＧＰＳ信号取得部４１、車速センサ４２、ジャイロセンサ４３の出力信号に基づいて移動履歴送信システム１０の現在地を取得する。また、制御部２０は、図示しない計時回路の出力に基づいて現在時刻を特定し、予め決められた期間毎に現在時刻と現在地とを対応づけた情報を生成する。また、制御部２０は、既定時間以上現在地が変化しなかった場合に、当該現在地が存在する（または現在地から既定の距離以内に存在する）施設を図示しない地図情報に基づいて特定し、訪問時刻と訪問施設とを対応づけた情報を生成する。そして、制御部２０は、時刻毎の位置の履歴と、訪問された施設および訪問時刻の履歴を移動履歴情報３０ａとして生成し、記録媒体３０に記録する。
【００２３】
通信制御部２１ｂは、近距離通信による通信の制御を行う機能を制御部２０に実現させるプログラムモジュールである。すなわち、制御部２０は、通信制御部２１ｂの処理により、近距離通信部４４を介してＷｉ-Ｆｉ規格によって携帯端末５０ａ，５０ｂとの通信の確立と、情報の授受を行う。なお、本実施形態において、制御部２０は、通信制御部２１ｂの処理により、予め決められた手順で接続可能な端末を登録することができる。本実施形態において制御部２０は、携帯端末５０ａ，５０ｂのそれぞれを、各端末の識別情報となるＭＡＣアドレスに基づいて特定する。従って、制御部２０は、接続可能な端末を示す識別情報や認証情報を記録媒体に記録する（不図示）ことにより、接続可能な端末を登録する。図１においては、接続可能な端末として携帯端末５０ａ，５０ｂが予め登録されている状態が想定されている。
【００２４】
制御部２０は、通信制御部２１ｂの処理により、Ｗｉ-Ｆｉ規格におけるアクセスポイントを公開することが可能である。予め登録された携帯端末５０ａ，５０ｂは、図示しない制御部の処理により、既定のタイミング毎にアクセスポイントのスキャンを実行する。制御部２０によってアクセスポイントが公開された状態において携帯端末５０ａ，５０ｂがアクセスポイントのスキャンを実行すると、制御部２０は、携帯端末５０ａ，５０ｂが予め登録された端末であるか否かを判定する。スキャンした端末が予め登録された端末である場合、制御部２０は、携帯端末５０ａ，５０ｂとの通信を確立する。この状態において、制御部２０は、近距離通信部４４を介して携帯端末５０ａ，５０ｂと種々の情報を授受することが可能である。また、接続が確立されている携帯端末５０ａ，５０ｂの識別情報は、記録媒体に接続端末情報３０ｂとして記録される。
【００２５】
識別情報取得部２１ｃは、近距離通信によって接続された端末の識別情報を取得する機能を制御部２０に実現させるプログラムモジュールである。本実施形態において、近距離通信によって接続された端末には通信制御部２１ｂを備える端末である移動履歴送信システム１０と同乗者が利用する携帯端末５０ａ，５０ｂとが含まれる。従って、本実施形態においては、通信制御部２１ｂを備える第１端末と、通信制御部２１ｂによって接続が確立された１個以上の第２端末とが含まれる。
【００２６】
このため、制御部２０は、識別情報取得部２１ｃの処理により、移動履歴送信システム１０の識別情報（近距離通信部４４のＭＡＣアドレス）を取得し、接続端末情報３０ｂに記録する。上述のように、通信制御部２１ｂの処理によって携帯端末５０ａ，５０ｂの接続が行われると、接続中の端末の識別情報が接続端末情報３０ｂに記録されるため、接続端末情報３０ｂには、近距離通信によって接続された端末を示す情報が含まれていることになる。従って、制御部２０が接続端末情報３０ｂを参照すると、現在接続されている携帯端末の識別情報と、移動履歴送信システム１０の識別情報との組み合わせを、近距離通信によって接続された端末の識別情報として取得することができる。なお、本実施形態においては、移動履歴送信システム１０に接続可能な端末が予め登録される構成であるが、予め登録されていない端末との接続が行われ、接続された端末の識別情報が取得される構成が採用されてもよい。
【００２７】
移動履歴送信部２１ｄは、移動中に接続されていた端末の識別情報の組み合わせと、移動履歴とを対応づけて外部の移動履歴管理システム１００に送信する機能を制御部２０に実現させるプログラムモジュールである。すなわち、制御部２０は、予め決められた移動履歴の送信タイミング（例えば、施設への到着タイミングや一定期間毎のタイミング）において、通信部４５を介して移動履歴管理システム１００に対して移動履歴を送信する。このとき、制御部２０は、移動履歴情報３０ａを参照し、未送信の移動履歴に対して接続端末情報３０ｂを対応づけて送信する。
【００２８】
本実施形態において、接続端末情報３０ｂは、車両の移動中に近距離通信が可能であった端末の組み合わせであり、ともに行動している同行者に対応していると推定される。すなわち、移動履歴送信システム１０の識別情報は車両の運転者を示し、接続端末情報３０ｂに他の端末の識別情報が含まれている場合、当該識別情報は車両の同乗者を示していると推定される。従って、接続端末情報３０ｂが運転者の同行者を示していると推定され、移動履歴送信システム１０によって端末の識別情報の組み合わせを集約して移動履歴管理システム１００に送信すれば、移動履歴管理システム１００において同行者の組み合わせに関する情報を特定することができる。
【００２９】
推奨情報取得部２１ｅは、現在接続されている端末の識別情報の組み合わせと、推奨情報の送信要求とを移動履歴管理システム１００に対して送信し、当該組み合わせに対応する推奨情報を受信する機能を制御部２０に実現させるプログラムモジュールである。すなわち、移動履歴管理システム１００は、複数の利用者の移動履歴を、識別情報の組み合わせ毎に集計し、当該組み合わせに推奨される推奨情報を生成する（詳細は後述）。
【００３０】
移動履歴送信システム１０は、当該推奨情報を利用して目的地の設定を実行可能な機能を有している。すなわち、利用者は、ユーザＩ／Ｆ部４６を操作して目的地として推奨される地点を示す推奨情報の取得を指示することができる。当該推奨情報の取得が指示されると、制御部２０は、推奨情報取得部２１ｅの処理により接続端末情報３０ｂを取得し、通信部４５を制御して当該接続端末情報３０ｂとともに推奨情報の送信要求を移動履歴管理システム１００に送信する。
【００３１】
移動履歴管理システム１００が当該送信要求を受信すると、移動履歴管理システム１００は、接続端末情報３０ｂが示す端末の組み合わせを特定し、当該組み合わせに対応する推奨情報を取得する。そして、移動履歴管理システム１００は、送信要求元の移動履歴送信システム１０に対して当該推奨情報を送信する。制御部２０は、通信部４５を介して当該推奨情報を取得し、推奨情報取得部２１ｅの処理により、ユーザＩ／Ｆ部４６のディスプレイに推奨情報としての目的地を表示させる。利用者は、当該推奨情報を参照しながら、所望の目的地を選択することができる。
【００３２】
当該推奨情報は、移動履歴管理システム１００によって端末の識別情報の組み合わせ毎に取得され、当該組み合わせの移動履歴と類似する他の移動履歴に含まれる目的地を示している。従って、推奨情報は、現在の同行者の組み合わせでの行動において好まれる目的地を示している可能性が高い。このため、利用者は、同行者の組み合わせでの行動において好んで採用し得る目的地の提案を受けながら、目的地を決定することができる。
【００３３】
（２）移動履歴管理システムの構成：
移動履歴管理システム１００は、ＣＰＵ、ＲＡＭ、ＲＯＭ等を備える制御部２００と、記録媒体３００と、通信部４５０とを備えており、制御部２００は、当該ＲＯＭや図示しない記録媒体に記録された種々のプログラムを実行することができる。通信部４５０は、予め決められた周波数帯域の搬送波を利用して他の装置と通信を行うための回路を備えている。本実施形態において、制御部２００は、通信部４５０を介して外部に存在する移動履歴送信システム１０と通信を行うことが可能である。
【００３４】
制御部２００は、図示しない移動履歴管理プログラム２１０により、移動履歴送信システム１０が送信する移動履歴を解析し、移動履歴送信システム１０からの推奨情報の送信要求に応じて推奨情報を送信することができる。このために、移動履歴管理プログラム２１０は、履歴情報取得部２１０ａと移動履歴集計部２１０ｂと推奨情報送信部２１０ｃとを備えている。
【００３５】
履歴情報取得部２１０ａは、移動中に移動履歴送信システム１０に接続されていた端末の識別情報の組み合わせと、移動履歴送信システム１０の移動履歴とが対応づけられた情報を取得する機能を制御部２００に実現させるプログラムモジュールである。すなわち、移動履歴送信システム１０は、予め決められた移動履歴の送信タイミングにおいて、移動履歴情報３０ａと接続端末情報３０ｂを対応づけて送信する。これらの情報は、複数の車両のそれぞれに備えられた移動履歴送信システム１０のそれぞれから送信される。制御部２００は、通信部４５０を介して各移動履歴送信システム１０から送信されたこれらの情報を取得し、接続端末情報３０ｂを移動履歴情報３０ａに対応づけて記録媒体３００に記録する（移動履歴情報３００ａ）。
【００３６】
移動履歴集計部２１０ｂは、識別情報の組み合わせ毎に移動履歴を集計する機能を制御部２００に実現させるプログラムモジュールである。すなわち、制御部２００は、移動履歴集計部２１０ｂの処理により、移動履歴情報３００ａを取得し、移動履歴情報３００ａに対応づけられた接続端末情報を参照し、接続端末情報の組み合わせが同一の移動履歴を同一のグループと見なし、移動履歴をグループ毎に集計する。集計は移動履歴の統計結果であれば良く、本実施形態における集計は、目的地への訪問回数の集計である。集計された情報は集計情報３００ｂとして記録媒体３００に記録される。
【００３７】
図４は、集計情報３００ｂの例を示す図である。この例においては、同一のグループを太線の矩形でまとめて示している。すなわち、この例においては、識別情報の組み合わせが（ＩＤ１，ＩＤ２，ＩＤ３）、（ＩＤ１，ＩＤ４）、（ＩＤ５）、（ＩＤ６，ＩＤ７）、（ＩＤ６，ＩＤ８）である。これらの組み合わせにおいて、一番左側の識別情報は移動履歴送信システム１０の識別情報、それ以外の識別情報は携帯端末の識別情報である。従って、例えば、（ＩＤ１，ＩＤ２，ＩＤ３）は、識別情報ＩＤ１の移動履歴送信システム１０が搭載された車両に識別情報ＩＤ２，ＩＤ３の携帯端末を携帯する同行者がいた場合の移動履歴の集計結果である。
【００３８】
また、（ＩＤ１，ＩＤ４）は、識別情報ＩＤ１の移動履歴送信システム１０が搭載された車両に識別情報ＩＤ４の携帯端末を携帯する同行者がいた場合の移動履歴の集計結果である。このように、同一の識別情報ＩＤ１の移動履歴送信システム１０が搭載された車両の移動履歴であっても、識別情報の組み合わせ（同行者の組み合わせ）が異なる場合、異なるグループに分類された状態で集計が行われる。
【００３９】
本実施形態において、移動履歴の集計結果は、目的地への訪問回数の集計であり、例えば、図４において識別情報の組み合わせ（ＩＤ１，ＩＤ２，ＩＤ３）であれば、同一の同行者の組み合わせでの行動において、施設１に１０回、施設２に５回、施設３に４回、施設４に２回訪問したことが集計されている。なお、本実施形態において、移動履歴は時間帯毎に集計される。図４においては、同一の時間帯Ｔ１〜Ｔ２の集計結果を示している。このように、時間帯毎の集計が行われる構成によれば、時間帯毎の推奨情報の生成を行うことが可能になる。
【００４０】
さらに、制御部２００は、識別情報の組み合わせ毎の集計結果を比較し、類似した集計結果を特定する。集計結果が類似しているか否かの判定は、種々の手法によって実施可能であり、本実施形態において制御部２００は、目的地としての各施設に対する訪問回数に基づいて各集計結果の相関係数を特定し、相関が強い集計結果同士を類似していると見なす。むろん、類似しているか否かの判定は、他にも種々の手法によって実施可能であり、例えば、訪問回数の上位５位までの施設が一致している場合に類似していると見なすなど、種々の手法が採用可能である。図４においては、類似している集計結果同士を矢印で結びつけて示している。制御部２００は、このように類似している集計結果を示す情報を集計情報３００ｂに含めて記録する。
【００４１】
推奨情報送信部２１０ｃは、端末の識別情報の組み合わせと、当該組み合わせに推奨される推奨情報の送信要求とを取得し、当該組み合わせについて集計された移動履歴と類似する移動履歴に基づいて推奨情報を取得し、送信要求元に送信する機能を制御部２００に実現させるプログラムモジュールである。すなわち、移動履歴送信システム１０の制御部２０が、推奨情報の送信要求を送信すると、制御部２００は、推奨情報送信部２１０ｃの処理により、通信部４５０を介して当該送信要求を受信する。
【００４２】
送信要求が受信されると、制御部２００は、送信要求とともに送信された接続端末情報３０ｂを参照し、送信元の車両において近距離通信で接続された端末の識別情報の組み合わせを取得する。さらに、制御部２００は、当該識別情報の組み合わせが対応づけられた集計情報３００ｂに類似する集計情報３００ｂを特定し、特定された集計情報３００ｂの中から現在時刻が属する時間帯についての集計情報を参照する。そして、制御部２０は、特定された集計情報の中から、送信要求に対応づけられた識別情報の組み合わせの集計結果に含まれない目的地を抽出し、推奨情報とする。そして、制御部２００は、推奨情報の送信要求元の移動履歴送信システム１０に対して、通信部４５０を介して当該推奨情報を送信する。
【００４３】
例えば、図４に示す例において、移動履歴送信システム１０から送信要求とともに識別情報の組み合わせ（ＩＤ１，ＩＤ２，ＩＤ３）が送信された場合、制御部２００は、組み合わせ（ＩＤ１，ＩＤ２，ＩＤ３）に類似する集計結果を集計情報３００ｂから検索する。図４に示す例においては、識別情報の組み合わせ（ＩＤ６，ＩＤ７）の集計結果が類似した集計結果であるため、制御部２００は、両者の集計結果を比較する。この結果、施設１〜３は両者の共通した目的地であるが、施設５は組み合わせ（ＩＤ１，ＩＤ２，ＩＤ３）の移動履歴に含まれていないことが判明する。そこで、制御部２００は、施設５を推奨情報とみなし、移動履歴送信システム１０に対して送信する。
【００４４】
以上の構成によれば、移動履歴管理システム１００は、移動中に移動履歴送信システム１０に接続されていた端末の識別情報の組み合わせに対応づけられた移動履歴を取得するため、当該組み合わせに基づいて、移動履歴が示す移動の際の同行者の組み合わせに関する情報を特定することができる。さらに、移動履歴管理システム１００は、端末の識別情報の組み合わせ毎に、当該組み合わせに対応づけられた移動履歴を集計する。当該集計結果は、同行者の組み合わせ毎に移動履歴の傾向等に対応した情報であるため、各組み合わせについて集計された移動履歴と類似する移動履歴を参照することにより、移動履歴管理システム１００は、同行者が当該組み合わせである場合に推奨される推奨情報を生成することができる。
【００４５】
さらに、移動履歴管理システム１００は、移動履歴送信システム１０において現在近距離無線で接続されている端末の識別情報の組み合わせに対応する推奨情報を送信要求元としての移動履歴送信システム１０に送信する。従って、移動履歴管理システム１００は、同行者の組み合わせに適した推奨情報を送信することができる。
【００４６】
（３）携帯端末側通信処理：
次に、携帯端末５０ａ，５０ｂで実行される携帯端末側通信処理について説明する。図２Ａは、携帯端末側通信処理を示すフローチャートである。携帯端末は、電源がオンである状態において携帯端末側通信処理を実行しており、携帯端末側通信処理が開始されると予め決められた期間毎に無線アクセスポイントが存在するか否かを判定する（ステップＳ１００）。すなわち、携帯端末は、無線アクセスポイントのスキャンを実行し、登録済みの無線アクセスポイントが存在することが判明した場合、無線アクセスポイントが存在すると判定する。ステップＳ１００において、無線アクセスポイントが存在すると判定されない場合、予め決められた期間毎に携帯端末はステップＳ１００以降の処理を繰り返す。
【００４７】
ステップＳ１００において、無線アクセスポイントが存在すると判定された場合、携帯端末は、無線アクセスポイントに接続する（ステップＳ１０５）。すなわち、無線アクセスポイントが存在する場合、携帯端末からのスキャンに応じて移動履歴送信システム１０から接続確立のための情報が送信されるため、移動履歴送信システム１０からの送信情報に基づいて携帯端末は当該移動履歴送信システム１０との接続を確立する。この後、携帯端末と移動履歴送信システム１０との間で既定の手順に従って情報の授受を行うことが可能である。なお、本実施形態において接続が確立されると、携帯端末は、携帯端末の識別情報を移動履歴送信システム１０に対して送信する。
【００４８】
（４）移動履歴送信処理：
次に、移動履歴送信システム１０で実行される移動履歴送信処理について説明する。図２Ｂは、移動履歴送信処理を示すフローチャートである。車両のエンジンがオンになると、制御部２０は、移動履歴取得部２１ａの処理により、ＧＰＳ信号取得部４１，車速センサ４２，ジャイロセンサ４３の出力信号に基づいて移動履歴送信システム１０の現在地を取得する処理を行い、当該現在地に基づいて移動履歴情報３０ａを生成し、記録媒体３０に記録する。
【００４９】
また、車両のエンジンがオンになると、制御部２０は、移動履歴送信処理を開始する。移動履歴送信処理が開始されると、制御部２０は、通信制御部２１ｂの処理により、無線アクセスポイントを公開する（ステップＳ２００）。すなわち、制御部２０は、近距離通信部４４を介して携帯端末からのスキャンを受け付ける状態とする。さらに、制御部２０は、未接続、かつ、未登録の携帯端末からのスキャンを受け付けた場合、当該携帯端末の識別情報等に基づいて登録された携帯端末であるか否かを判定する。そして、登録された携帯端末である場合、制御部２０は、当該携帯端末との接続を確立する。なお、制御部２０は、通信制御部２１ｂの処理により、携帯端末の識別情報を取得する。
【００５０】
次に、制御部２０は、通信制御部２１ｂの処理により、接続端末が変化したか否かを判定する（ステップＳ２０５）。すなわち、制御部２０は、近距離通信部４４を介して、接続された携帯端末を確認するための処理を行う。当該処理は、例えば、携帯端末に対して識別情報を送信させる処理等によって実現可能である。接続された携帯端末が確認されると、制御部２０は、接続端末情報３０ｂを参照し、接続端末情報３０ｂが示す識別情報と、接続された携帯端末の識別情報とを比較する。
【００５１】
そして、接続端末情報３０ｂに存在しない識別情報が、接続された携帯端末の識別情報として取得されていた場合、制御部２０は、当該識別情報の携帯端末が新たに接続端末となり、接続端末が変化したと判定する。接続端末情報３０ｂに存在する識別情報が、接続された携帯端末の識別情報として取得されていなかった場合、制御部２０は、当該識別情報の携帯端末が接続端末ではなくなり、接続端末が変化したと判定する。このような判定により、接続端末の少なくとも１個について、接続または非接続の変化があると、制御部２０は、接続端末が変化したと判定する。
【００５２】
ステップＳ２０５において、接続端末が変化したと判定された場合、制御部２０は、通信制御部２１ｂの処理により、接続端末を更新する（ステップＳ２１０）。すなわち、制御部２０は、新たに接続された接続端末が存在する場合、当該接続端末の識別情報を接続端末情報３０ｂに追加する。また、制御部２０は、接続端末でなくなった端末が存在する場合、当該端末の識別情報を接続端末情報３０ｂから削除する。ステップＳ２０５において、接続端末が変化したと判定されない場合、制御部２０は、ステップＳ２１０をスキップする。
【００５３】
次に、制御部２０は、移動履歴送信部２１ｄの処理により、移動履歴情報の送信が必要であるか否かを判定する（ステップＳ２１５）。すなわち、制御部２０は、予め決められた移動履歴の送信タイミングとなったか否かを判定する。ステップＳ２１５において、移動履歴情報の送信が必要であると判定された場合、制御部２０は、接続端末の組み合わせと移動履歴とを対応づけて送信する（ステップＳ２２０）。すなわち、制御部２０は、識別情報取得部２１ｃの処理により、接続端末情報３０ｂを取得する。当該接続端末情報３０ｂは、現在接続されている端末の組み合わせを示している。
【００５４】
また、制御部２０は、移動履歴送信部２１ｄの処理により、移動履歴情報３０ａを参照し、未送信の移動履歴を抽出し、接続端末情報３０ｂを対応づける。そして、制御部２０は、当該接続端末情報３０ｂを、抽出された移動履歴情報に対応付け、通信部４５を介して送信する。ステップＳ２１５において、移動履歴情報の送信が必要であると判定されない場合、またはステップＳ２２０が実行された場合、制御部２０は、エンジンがオフにされたか否か判定し（ステップＳ２２５）、エンジンがオフにされていなければステップＳ２０５以降の処理を繰り返す。
【００５５】
（５）移動履歴管理処理：
次に、移動履歴管理システム１００で実行される移動履歴管理処理について説明する。移動履歴送信システム１０から移動履歴情報が送信された場合、移動履歴管理システム１００の制御部２００は、履歴情報取得部２１０ａの処理により、通信部４５０を介して当該移動履歴情報を取得し、移動履歴情報３００ａとして記録媒体３００に記録する。このように、移動履歴送信システム１０から送信された移動履歴情報が蓄積されていく状態において、移動履歴管理システム１００は、予め決められた期間毎に移動履歴管理処理を実行する。
【００５６】
図３Ａは、移動履歴管理処理を示すフローチャートである。移動履歴管理処理において、制御部２００は、移動履歴集計部２１０ｂの処理により、識別情報の組み合わせ毎に移動履歴を集計する（ステップＳ３００）。すなわち、制御部２００は、移動履歴情報３００ａを参照し、識別情報の組み合わせを抽出し、機器別情報の組み合わせが同一である移動履歴情報３００ａを同一グループに分類する。さらに、制御部２００は、同一グループに分類された移動履歴情報３００ａから目的地の施設を抽出し、目的地への訪問回数を集計する。
【００５７】
次に、制御部２００は、移動履歴集計部２１０ｂの処理により、互いに類似する組み合わせを特定する（ステップＳ３０５）。すなわち、制御部２００は、各グループの集計結果に基づいて、相関を特定するなどして類似した集計結果を特定する。次に、制御部２００は、移動履歴集計部２１０ｂの処理により、類似した組み合わせを示す情報とともに集計情報を記録する（ステップＳ３１０）。すなわち、制御部２００は、ステップＳ３０５で類似するとされた集計結果同士を関連づけ、識別情報の組み合わせ毎の訪問回数の集計結果を集計情報３００ｂとして記録媒体３００に記録する。
【００５８】
（６）推奨情報取得処理：
次に、移動履歴送信システム１０で実行される推奨情報取得処理について説明する。図３Ｂは、推奨情報取得処理のフローチャートである。推奨情報取得処理は、移動履歴送信システム１０の利用者がユーザＩ／Ｆ部４６を操作して目的地の選択を開始した場合に実行される。当該目的地の選択においては、ユーザＩ／Ｆ部４６に推奨情報の送信要求指示を行うための指示部（ボタン等）が表示される。推奨情報取得処理が開始されると、制御部２０は、推奨情報取得部２１ｅの処理により、推奨情報の送信要求指示が行われるまで待機する（ステップＳ４００）。すなわち、制御部２０は、ユーザＩ／Ｆ部４６の出力を監視し、利用者が推奨情報の送信要求指示を行うまで待機する。
【００５９】
ステップＳ４００において、推奨情報の送信要求指示が行われたと判定された場合、制御部２０は、推奨情報取得部２１ｅの処理により、識別情報の組み合わせを取得する（ステップＳ４０５）。すなわち、制御部２０は、接続端末情報３０ｂを取得する。次に、制御部２０は、識別情報取得部２１ｃの処理により、推奨情報の送信要求を送信する（ステップＳ４１０）。すなわち、制御部２０は、通信部４５を制御し、ステップＳ４０５で取得した接続端末情報３０ｂとともに推奨情報の送信要求を送信する。
【００６０】
送信要求が送信されると、移動履歴管理システム１００から推奨情報が送信されるため、制御部２０は、推奨情報取得部２１ｅの処理により、通信部４５を介して、推奨情報を受信する（ステップＳ４１５）。そして、制御部２０は、推奨情報取得部２１ｅの処理により、推奨情報を案内する（ステップＳ４２０）。すなわち、制御部２０は、ユーザＩ／Ｆ部４６を制御し、ステップＳ４１５で受信された推奨情報をディスプレイに表示させる。この結果、利用者は、現在の同行者で訪問する地点として推奨された目的地を考慮しながら、目的地を選択することができる。
【００６１】
（７）推奨情報送信処理：
次に、移動履歴管理システム１００で実行される推奨情報送信処理について説明する。図３Ｃは、推奨情報送信処理のフローチャートである。推奨情報送信処理は、移動履歴送信システム１０から推奨情報の送信要求が送信された場合に実行される。推奨情報送信処理が実行されると、制御部２００は、推奨情報送信部２１０ｃの処理により、識別情報の組み合わせを取得する（ステップＳ５００）。すなわち、制御部２００は、通信部４５０を介して取得された送信要求に対応づけられた接続端末情報３０ｂに基づいて、送信元の移動履歴送信システム１０において現在接続された端末の識別情報の組み合わせを特定する。
【００６２】
次に、制御部２００は、推奨情報送信部２１０ｃの処理により、ステップＳ５００で取得された識別情報の組み合わせに対応した推奨情報を取得する（ステップＳ５０５）。すなわち、制御部２００は、集計情報３００ｂを参照し、ステップＳ５００で取得された識別情報の組み合わせが対応づけられた集計結果を特定する。さらに、制御部２００は、当該集計結果に類似した組み合わせを示す情報を参照し、ステップＳ５００で取得された識別情報の組み合わせが対応づけられた集計結果に類似した集計結果を特定する。そして、制御部２０は、当該類似した集計結果の中で、ステップＳ５００で取得された識別情報の組み合わせが対応づけられた集計結果に存在しない目的地を特定し、推奨情報とする。
【００６３】
次に、制御部２００は、推奨情報送信部２１０ｃの処理により、推奨情報を送信する（ステップＳ５１０）。すなわち、制御部２００は、通信部４５０を制御し、ステップＳ５０５で取得された推奨情報を、送信元の移動履歴送信システム１０に対して送信する。以上の処理の結果、移動履歴送信システム１０を搭載する車両の同行者の過去の行動から推奨される目的地を推奨情報として送信することができる。
【００６４】
（８）他の実施形態：
以上の実施形態は本発明を実施するための一例であり、他にも種々の実施形態を採用可能である。例えば、移動履歴送信システムとともに移動する移動体は任意であり、自転車や歩行者等であっても良く、種々の例が想定される。また、移動履歴送信システムや移動履歴管理システムは、複数の装置（例えば、クライアントとサーバ）によって実現されるシステムであっても良い。
【００６５】
さらに、移動履歴送信システム１０を構成する移動履歴取得部２１ａ、通信制御部２１ｂ、識別情報取得部２１ｃ、移動履歴送信部２１ｄ、推奨情報取得部２１ｅや、移動履歴管理システム１００を構成する履歴情報取得部２１０ａ、移動履歴集計部２１０ｂ、推奨情報送信部２１０ｃの少なくとも一部が複数の装置に分かれて存在していても良い。例えば、移動履歴取得部２１ａの少なくとも一部がＧＰＳ信号取得部４１の制御部で実現されても良い。むろん、上述の実施形態の一部の構成が異なる実施形態や処理の順序が異なる実施形態も想定し得る。
【００６６】
移動履歴取得部は、移動履歴を取得することができればよい。すなわち、移動履歴送信システムとともに利用者が移動した場合、移動履歴取得部は、移動の履歴を収集することができればよい。移動履歴は、移動の過程を示す情報であれば良く、位置の履歴と移動の過程で訪問された施設の履歴との一方であってもよく、推奨情報として利用し得る情報を生成可能な履歴が収集されれば良い。
【００６７】
通信制御部は、近距離通信による通信の制御を行うことができればよく、移動履歴送信システム以外の端末との通信を確立し、通信が確立した端末と移動履歴管理システムとでの通信を実施することができればよい。近距離通信は、移動履歴送信システムとナビゲーションシステムとの接続を予め決められた通信手順で確立し、既定の情報を授受できるような通信であれば良い。すなわち、同行者が移動履歴送信システムの利用者と他の端末の利用者である状況において、移動履歴送信システムと他の端末との間で通信が維持されるような近距離通信で接続が行われればよい。従って、上述のようなＷｉＦｉ規格の他、Ｂｌｕｅｔｏｏｔｈ（登録商標）規格やＵＳＢ規格等の各種の規格で移動履歴送信システムと端末とが接続されて良い。なお、近距離通信は無線通信であっても良いし有線通信であっても良い。
【００６８】
通信方式は、種々の方式が採用されてよく、上述の実施形態のように移動履歴送信システムが制御する端末となって他の端末との通信が制御される構成の他、接続される各端末が同等の役割である（例えば、制御する端末、制御される端末のいずれにもなり得る）構成であっても良い。また、移動履歴送信システムは、同乗者が利用する端末と同等の端末であっても良い。例えば、同行者の一人が利用する携帯端末が移動履歴送信システムとなる構成であっても良い。
【００６９】
識別情報取得部は、近距離通信によって接続された端末の識別情報を取得することができればよい。端末の識別情報は、当該識別情報の組み合わせが同乗者の組み合わせであると推定できるような情報であれば良い。従って、異なる端末が同一の人物に利用される場合には当該異なる端末の一つが識別情報として特定される構成であっても良い。例えば、携帯電話と携帯音楽プレーヤーとが近距離通信によって接続され得る場合、同一の種類の端末（例えば、携帯電話）について識別情報が取得され、他の種類の識別情報が取得されない構成であっても良い。
【００７０】
また、車両の運転者が複数の端末を利用し得る場合には、その中の１種類の識別情報が取得される構成であっても良い（例えば、移動履歴管理システム１００と携帯端末とを利用し得る場合、移動履歴管理システム１００と運転者の携帯端末との一方の識別情報が収集され、他方の識別情報が収集されない等）。さらに、識別情報は、端末を特定可能な情報であれば良く、ネットワークに存在するノードを特定するためのＭＡＣアドレスや、端末固有のＩＤ、端末で利用される固有の番号（電話番号、ＩＰアドレス等）等が利用され得る。
【００７１】
移動履歴送信部は、移動中に接続されていた端末の識別情報の組み合わせと、移動履歴とを対応づけて外部の移動履歴管理システムに送信することができればよい。すなわち、同行者の組み合わせと推定される情報が端末の識別情報の組み合わせによって構成され、移動履歴管理システムに対して送信されれば良い。移動中に接続されていた端末は、移動の過程で確認されても良いし、特定のタイミング、例えば、移動開始段階や移動終了段階等において確認され、移動中に接続されていたと推定されても良い。
【００７２】
さらに、移動履歴を取得する移動履歴取得部と、近距離通信による通信の制御を行う通信制御部と、近距離通信によって接続された端末の識別情報を取得する識別情報取得部と、移動中に接続されていた端末の識別情報の組み合わせ毎に移動履歴を集計する移動履歴集計部と、現在接続されている端末の識別情報の組み合わせについて集計された移動履歴と類似する移動履歴に基づいて当該組み合わせに推奨される推奨情報を取得し、案内する推奨情報案内部と、を備える移動履歴案内システムが構成されても良い。
【００７３】
すなわち、移動履歴案内システムにおいて、端末の識別情報の組み合わせを取得すれば、同行者の端末から当該端末の位置を示す情報を送信しなくても同乗者に関する情報を特定することができる。そして、端末の識別情報の組み合わせ毎に移動履歴を集計すれば、移動履歴案内システムが集計した移動履歴に基づいて、推奨情報を取得し、案内することが可能になる。この構成によれば、移動履歴や識別情報の組み合わせを外部に送信することなく、同行者毎の推奨情報を案内するシステムを提供することができる。
【００７４】
なお、このような移動履歴案内システムは、図１に示す移動履歴送信システム１０に対して移動履歴集計部２１０ｂを組み込むことで構成可能である。この場合、移動履歴送信部２１ｄや通信部４５は省略可能である。集計情報３００ｂは記録媒体３０に記録されるため、推奨情報取得部２１ｅにおいては外部からではなく集計情報３００ｂに基づいて推奨情報を取得する。
【００７５】
さらに、移動履歴を取得する移動履歴取得部と、近距離通信による通信の制御を行う通信制御部と、近距離通信によって接続された端末の台数を取得する台数取得部と、移動中に接続されていた端末の台数と、移動履歴とを対応づけて外部の移動履歴管理システムに送信する移動履歴送信部と、を備える移動履歴送信システムが構成されても良い。
【００７６】
すなわち、移動中に近距離無線によって接続されていた端末の台数は、移動中に継続して同行していた同行者の人数に対応していると推定される。そして、移動者の行動傾向は、１人の場合と複数人の場合とで異なるなど、同行者の人数に応じて変化し得る。そこで、移動中に近距離無線によって接続されていた端末の台数を取得して外部の移動履歴管理システムに送信すれば、同行者の端末の位置を示す情報を送信せずに、移動履歴管理システムにおいて同乗者に関する情報を特定することが可能になる。
【００７７】
なお、このような移動履歴送信システムは、図１に示す移動履歴送信システム１０が、識別情報取得部２１ｃの替わりに接続端末の台数を取得する台数取得部を備える構成等によって実現可能である。接続端末の台数は、接続端末情報３０ｂに基づいて計算されても良いし、接続端末情報３０ｂの替わりに接続端末の台数を計測した情報が記録媒体３０に記録され、当該情報に基づいて計算されても良い。むろん、この場合、制御部２０は、移動履歴送信部２１ｄの処理により、移動中に接続されていた端末の台数と、移動履歴とを対応づけて移動履歴を送信する。
【００７８】
移動履歴管理システム１００においては、当該移動履歴を移動履歴情報３００ａとして記録媒体３００に記録する。従って、制御部２００は、移動履歴集計部２１０ｂの処理により、端末の台数毎に移動履歴を集計することになる。推奨情報は、種々の手法で作成されて良く、送信要求元の移動履歴送信システム１０に接続された端末の台数と同一の台数について集計された移動履歴から送信要求元が訪問していない地点等が推奨情報とされても良い。むろん、上述の実施形態と同様に、台数毎に集計された集計情報から送信要求元の端末の台数に類似した移動履歴を特定し、当該移動履歴から送信要求元が訪問していない地点等が推奨情報とされても良く、種々の構成が採用可能である。
【００７９】
さらに、本発明のように、近距離通信によって接続された端末の識別情報の組み合わせと、移動履歴とを対応づけて移動履歴管理システムに送信する手法は、プログラムや方法としても適用可能である。また、以上のようなシステム、プログラム、方法は、単独の装置として実現される場合や、複数の装置によって実現される場合が想定可能であり、各種の態様を含むものである。例えば、以上のような構成を備えたナビゲーションシステムや端末、方法、プログラムを提供することが可能である。また、一部がソフトウェアであり一部がハードウェアであったりするなど、適宜、変更可能である。さらに、システムを制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【符号の説明】
【００８０】
１０…移動履歴送信システム、２０…制御部、２１…移動履歴送信プログラム、２１ａ…移動履歴取得部、２１ｂ…通信制御部、２１ｃ…識別情報取得部、２１ｄ…移動履歴送信部、２１ｅ…推奨情報取得部、３０…記録媒体、３０ａ…移動履歴情報、３０ｂ…接続端末情報、４１…ＧＰＳ信号取得部、４２…車速センサ、４３…ジャイロセンサ、４４…近距離通信部、４５…通信部、４６…ユーザＩ／Ｆ部、５０ａ…携帯端末、５０ｂ…携帯端末、１００…移動履歴管理システム、２００…制御部、２１０…移動履歴管理プログラム、２１０ａ…履歴情報取得部、２１０ｂ…移動履歴集計部、２１０ｃ…推奨情報送信部、３００…記録媒体、３００ａ…移動履歴情報、３００ｂ…集計情報、４５０…通信部
【図１】
2018132321.tif 000003
【図２】
2018132321.tif 000004
【図３】
2018132321.tif 000005
【図４】
2018132321.tif 000006